(57)【特許請求の範囲】
【請求項１】
外部と無線通信を行う機能を有する外部メモリと通信する表示装置であって、
前記外部メモリは、映像コンテンツを含むデータを記憶する機能と、無線通信により外部から当該映像コンテンツを取得して、取得した当該映像コンテンツを記憶する機能とを有し、
前記表示装置は、
前記外部メモリにアクセスすることにより、当該外部メモリが記憶している前記データである記憶データの状態の変化であるデータ変化を検知するための検知部と、
前記外部メモリが記憶している前記映像コンテンツを再生する再生部と、
前記検知部が前記データ変化を検知した場合、前記記憶データを管理するための管理情報を更新する更新処理を行う制御部とを、備え、
前記表示装置は、当該表示装置を制御するための制御データに基づいて制御され、
前記表示装置は、さらに、
放送コンテンツを受信するための放送受信部を備え、
前記制御データは、前記放送コンテンツの送信元に関連する情報を示し、
前記外部メモリは、外部端末と無線通信を行い、
前記表示装置は、さらに、
前記外部メモリと通信するメモリ制御部を備え、
前記外部メモリは、Ｗｅｂサーバとして動作し、
前記制御部は、前記制御データに基づいて、前記放送コンテンツの送信元のリストを表示する操作用Ｗｅｂアプリケーションを生成し、
前記メモリ制御部は、前記操作用Ｗｅｂアプリケーションを前記外部メモリに記憶させ、
前記外部メモリから取得された、前記送信元のリストを表示する前記操作用Ｗｅｂアプリケーションを表示する前記外部端末に対する操作に基づいて、前記放送受信部は、前記放送コンテンツを受信するための送信元を変更する
表示装置。
【請求項２】
前記制御部は、前記記憶データの状態が変化することにより当該記憶データの参照ができなくなった状況において、当該記憶データの参照ができるように前記管理情報を更新する前記更新処理を行う
請求項１に記載の表示装置。
【請求項３】
前記再生部は、前記更新処理が行われる前に前記映像コンテンツの再生を停止し、前記更新処理が終了した後、再生が停止されている当該映像コンテンツを再生する
請求項１または２に記載の表示装置。
【請求項４】
前記外部メモリは、前記データ変化が発生した場合、当該データ変化を示すための値を示すレジスタを含み、
前記検知部は、前記レジスタの値を参照することにより、前記データ変化を検知する
請求項１から３のいずれか１項に記載の表示装置。
【請求項５】
前記制御部は、前記検知部が前記データ変化を検知していない期間において、定期的に、前記更新処理を行い
前記検知部は、ｎ（自然数）番目の前記更新処理により更新された前記管理情報と、（ｎ＋１）番目の前記更新処理により更新された前記管理情報とを比較することにより、前記データ変化を検知する
請求項１から３のいずれか１項に記載の表示装置。
【発明の詳細な説明】
【技術分野】
【０００１】
本発明は、映像コンテンツを再生する表示装置に関する。
【背景技術】
【０００２】
近年、従来の印刷媒体を用いた広告に替わり、映像表示デバイスを用いた電子広告表示装置が増加している。電子広告表示装置は、「デジタルサイネージ」と呼ばれる。
【０００３】
特許文献１では、広告情報と番組情報とを効果的に組み合わせたコンテンツ（電子広告）を表示するための技術（以下、「関連技術Ａ」ともいう）が開示されている。具体的には、関連技術Ａでは、ネットワークを介して各種情報、コンテンツを取得する。また、関連技術Ａでは、カメラを利用して、視聴者の反応を示す視聴者効果指数を取得して、当該視聴者効果指数をコンテンツ配信管理センタ（サーバ）にフィードバックする。これにより、各サイネージ端末毎に、視聴効果が大きくなるようなコンテンツ（広告）を提供することができる。
【０００４】
また、特許文献２では、ネットワーク機器が備えられてない店舗等であっても、デジタルサイネージと同等の効果を得るための技術（以下、「関連技術Ｂ」ともいう）が開示されている。具体的には、関連技術Ｂでは、時刻等の情報を利用して、表示装置だけで簡易的にデジタルサイネージを実現する。
【先行技術文献】
【特許文献】
【０００５】
【特許文献１】特開２０１０−０３９７２６号公報
【特許文献２】特開２０１０−１９０９５４号公報
【発明の概要】
【発明が解決しようとする課題】
【０００６】
しかしながら、関連技術Ａ、Ｂでは、以下の問題点がある。具体的には、関連技術Ａでは、通信機能を有するサイネージ端末が、ネットワークを介してコンテンツ配信サーバから受信したコンテンツを表示する。なお、当該サイネージ端末には、通信モジュールが予め内蔵されている。そのため、関連技術Ａは、通信機能を有さない端末（装置）には適用できず、汎用性が低いという問題点がある。
【０００７】
なお、関連技術Ｂは、通信機能を有さない装置に適用できる。すなわち、関連技術Ｂは、関連技術Ａの上記の問題点を解決できる。しかしながら、関連技術Ｂでは、仮に、外部メモリが再生対象データを記憶していない場合、ユーザが当該外部メモリを表示装置から取り外して、当該外部メモリに再生対象データを記憶させる必要がある。そのため、ユーザに手間をかけてしまうという問題点がある。
【０００８】
そこで、外部と無線通信を行う機能を有する外部メモリを利用する構成（以下、「構成Ａ」という）が考えられる。構成Ａでは、仮に、外部メモリが再生対象データを記憶していない場合、外部メモリが無線通信により再生対象データを取得できる。すなわち、構成Ａでは、外部メモリが再生対象データを記憶していない場合でも、ユーザが当該外部メモリを表示装置から取り外す必要はない。なお、構成Ａでは、外部メモリのデータの状態が変化することもあるため、当該外部メモリのデータの状態を管理することが求められる。
【０００９】
本発明は、このような問題を解決するためになされたものであり、無線通信を行う機能を有する外部メモリのデータの状態を管理することが可能な表示装置を提供することを目的とする。
【課題を解決するための手段】
【００１０】
上記目的を達成するために、本発明の一態様に係る表示装置は、外部と無線通信を行う機能を有する外部メモリと通信する。前記外部メモリは、映像コンテンツを含むデータを記憶する機能と、無線通信により外部から当該映像コンテンツを取得して、取得した当該映像コンテンツを記憶する機能とを有し、前記表示装置は、前記外部メモリにアクセスすることにより、当該外部メモリが記憶している前記データである記憶データの状態の変化であるデータ変化を検知するための検知部と、前記外部メモリが記憶している前記映像コンテンツを再生する再生部と、前記検知部が前記データ変化を検知した場合、前記記憶データを管理するための管理情報を更新する更新処理を行う制御部とを、備え、前記表示装置は、当該表示装置を制御するための制御データに基づいて制御され、前記表示装置は、さらに、放送コンテンツを受信するための放送受信部を備え、前記制御データは、前記放送コンテンツの送信元に関連する情報を示し、前記外部メモリは、外部端末と無線通信を行い、前記表示装置は、さらに、前記外部メモリと通信するメモリ制御部を備え、前記外部メモリは、Ｗｅｂサーバとして動作し、前記制御部は、前記制御データに基づいて、前記放送コンテンツの送信元のリストを表示する操作用Ｗｅｂアプリケーションを生成し、前記メモリ制御部は、前記操作用Ｗｅｂアプリケーションを前記外部メモリに記憶させ、前記外部メモリから取得された、前記送信元のリストを表示する前記操作用Ｗｅｂアプリケーションを表示する前記外部端末に対する操作に基づいて、前記放送受信部は、前記放送コンテンツを受信するための送信元を変更する。
【発明の効果】
【００１１】
本発明によれば、表示装置は、無線通信を行う機能を有する外部メモリと通信する。制御部は、検知部が、当該外部メモリの記憶データの状態の変化であるデータ変化を検知した場合、前記記憶データを管理するための管理情報を更新する更新処理を行う。
【００１２】
これにより、無線通信を行う機能を有する外部メモリのデータの状態を管理することができる。
【図面の簡単な説明】
【００１３】
【図１】本発明の実施の形態１に係るサイネージシステムの構成を示す図である。
【図２】本発明の実施の形態１に係る表示装置のブロック図である。
【図３】サイネージ設定データの構成の一例を示す図である。
【図４】再生設定データの構成の一例を示す図である。
【図５】データ管理処理Ｎのフローチャートである。
【図６】データ管理処理Ａのフローチャートである。
【図７】放送コンテンツ設定データの構成の一例を示す図である。
【図８】データ管理処理Ｂのフローチャートである。
【図９】データ変化検知処理Ａのフローチャートである。
【発明を実施するための形態】
【００１４】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１５】
＜実施の形態１＞
図１は、本発明の実施の形態１に係るサイネージシステム１０００の構成を示す図である。サイネージシステム１０００は、操作端末１００と、表示装置２００とを含む。
【００１６】
操作端末１００は、表示領域Ｒ１を有する。表示領域Ｒ１は、画像を表示するための領域（画面）である。また、操作端末１００は、無線通信を行う機能を有する。当該無線通信は、例えば、無線ＬＡＮ（Local Area Network）の規格に従った通信である。操作端末１００は、動作（通信）モードとして、無線通信モードを有する。無線通信モードは、操作端末１００により有効化または無効化される。無線通信モードが有効化された操作端末１００は、外部と無線通信が可能である。なお、操作端末１００は、例えば、スマートフォン、タブレット端末等である。
【００１７】
表示装置２００は、表示領域Ｒ２を有する。表示領域Ｒ２は、画像を表示するための領域（画面）である。また、表示装置２００は、複数種類のセンサー（図示せず）を有する。センサーは、例えば、表示装置２００の周囲の明るさを検知するセンサーである。
【００１８】
また、表示装置２００は、外部メモリＭ１が着脱自在なように構成される。外部メモリＭ１は、各種処理を行うためのプロセッサ（図示せず）を含む。当該プロセッサは、アプリケーション（プログラム）等を実行する。また、外部メモリＭ１は、外部と無線通信を行う機能を有する。当該無線通信は、例えば、無線ＬＡＮの規格に従った通信である。外部メモリＭ１は、例えば、メモリカードである。なお、外部メモリＭ１の形態は、カードに限定されず、他の形態（例えば、ディスク）であってもよい。
【００１９】
表示装置２００は、メモリスロット（図示せず）を有する。メモリスロットは、例えば、表示装置２００の側面部に設けられる。外部メモリＭ１は、当該メモリスロットに装着される。以下においては、外部メモリＭ１がメモリスロットに装着されている表示装置２００の状態を、「メモリ装着状態」ともいう。メモリ装着状態において、表示装置２００は、外部メモリＭ１と通信する。なお、メモリ装着状態において、外部メモリＭ１は表示装置２００の正面から見えないようになる。
【００２０】
外部メモリＭ１は、データを記憶する機能を有する。外部メモリＭ１には、記憶領域（図示せず）が設けられる。当該記憶領域は、データを記憶するための領域である。当該データは、例えば、操作用Ｗｅｂアプリケーション、映像コンテンツ、設定データ等である。操作用Ｗｅｂアプリケーションは、表示装置２００を操作するためのアプリケーションである。
【００２１】
また、本明細書において、上記の映像コンテンツとは、静止画像、動画像等である。当該映像コンテンツは、広告用のコンテンツである。また、映像コンテンツは、例えば、デジタルサイネージ用のコンテンツである。以下においては、広告用の映像コンテンツを、「サイネージコンテンツ」ともいう。すなわち、外部メモリＭ１には、データであるサイネージコンテンツが記憶される。
【００２２】
また、外部メモリＭ１は、レジスタ（図示せず）を含む。レジスタは、数値を記憶する。以下においては、レジスタに記憶されている値を、「レジスタ値」ともいう。レジスタ値の初期値は、“０”である。
【００２３】
また、外部メモリＭ１は、アクセスポイント機能と、Ｗｅｂサーバ機能とを有する。アクセスポイント機能とは、外部メモリＭ１が操作端末１００と無線通信を行うことを実現するための機能である。具体的には、外部メモリＭ１は、動作（通信）モードとして、アクセスポイントモードを有する。アクセスポイントモードは、外部メモリＭ１により有効化または無効化される。操作端末１００は、アクセスポイントモードが有効化された外部メモリＭ１と無線通信を行うことができる。
【００２４】
Ｗｅｂサーバ機能は、外部メモリＭ１を、操作端末１００のサーバとして動作させるための機能である。Ｗｅｂサーバ機能は、例えば、操作端末１００に操作手段を提供するための機能である。具体的には、外部メモリＭ１は、動作モードとして、Ｗｅｂサーバモードを有する。Ｗｅｂサーバモードは、例えば、ＨＴＴＰ（Hypertext Transfer Protocol）に従った無線通信を行うためのモードである。すなわち、外部メモリＭ１は、ＨＴＴＰに従った無線通信を行う機能を有する。Ｗｅｂサーバモードは、外部メモリＭ１により有効化または無効化される。操作端末１００は、Ｗｅｂサーバモードが有効化された外部メモリＭ１をＷｅｂサーバとみなして、当該外部メモリＭ１と無線通信を行うことができる。
【００２５】
また、外部メモリＭ１は、詳細は後述するが、無線通信により外部から映像コンテンツを取得して、取得した当該映像コンテンツを記憶する機能を有する。
【００２６】
なお、表示装置２００は、動作モードとして、通常モードと、サイネージモードとを有する。通常モードは、表示領域Ｒ２に画像を表示するモードである。サイネージモードは、サイネージコンテンツを再生するモードである。
【００２７】
次に、表示装置２００の詳細な構成について説明する。図２は、本発明の実施の形態１に係る表示装置２００のブロック図である。図２を参照して、表示装置２００は、制御部２０１と、メモリ制御部２０２と、設定データ管理部２０４と、再生部２０５と、検知部２０７と、放送受信部２０８と、不揮発メモリ２０９と、出力部２１０とを備える。
【００２８】
制御部２０１は、表示装置２００内の各部を制御する。制御部２０１は、例えば、ＣＰＵ（Central Processing Unit）である。メモリ制御部２０２は、前述のメモリ装着状態において、外部メモリＭ１と通信する。言い換えれば、メモリ制御部２０２は、前述のメモリ装着状態において、外部メモリＭ１にアクセスする。
【００２９】
設定データ管理部２０４は、サイネージ設定データＤＴ１を管理している。サイネージ設定データＤＴ１は、表示装置２００を制御するための制御データである。具体的には、サイネージ設定データＤＴ１は、表示装置２００におけるサイネージコンテンツの再生を制御するためのデータである。
【００３０】
サイネージ設定データＤＴ１は、不揮発メモリ２０９に記憶されている。なお、サイネージ設定データＤＴ１は、設定データ管理部２０４が記憶していてもよい。
【００３１】
再生部２０５は、サイネージ設定データＤＴ１が示す情報に従って、サイネージコンテンツを再生する。
【００３２】
図３は、サイネージ設定データＤＴ１の構成の一例を示す図である。サイネージ設定データＤＴ１は、設定データＤＴ１ａ，ＤＴ１ｂ、ＤＴ１ｃから構成される。設定データＤＴ１ａ，ＤＴ１ｂ、ＤＴ１ｃの各々は、図３のサイネージ設定データＤＴ１の各行に対応するデータである。
【００３３】
図３において、「設定ＩＤ」とは、設定データを識別するための情報である。「項目名」とは、設定対象となる項目の名称である。例えば、項目名「電源オフ時間」とは、表示装置２００の電源がオフされるまでの時間である。
【００３４】
図３において、「制御値」とは、設定対象となる項目に関する制御を特定する値である。設定ＩＤ“１”である設定データＤＴ１ａには、制御値として、“０”〜“３”のいずれかが設定される。設定ＩＤ“２”である設定データＤＴ１ｂには、制御値として、“０”〜“２３”のいずれかが設定される。設定ＩＤ“３”である設定データＤＴ１ｃには、制御値として、“０”および“１”のいずれかが設定される。以下においては、設定データＤＴ１ａ，ＤＴ１ｂ、ＤＴ１ｃが示す、設定されている制御値を、「設定制御値」ともいう。
【００３５】
例えば、設定データＤＴ１ａにおいて、設定制御値が“２”である場合、サイネージモードの表示装置２００は、動画（サイネージコンテンツ）を再生する。また、例えば、設定データＤＴ１ｃにおいて、設定制御値が“１”である場合、サイネージモードの表示装置２００は、所定のセンサーを駆動させる。
【００３６】
以下においては、サイネージコンテンツ（映像コンテンツ）の再生方法に関連する情報を、「再生関連情報」ともいう。再生関連情報は、例えば、図３のサイネージ設定データＤＴ１が示す制御値である。すなわち、制御データであるサイネージ設定データＤＴ１は、再生関連情報を示す。
【００３７】
再び、図２を参照して、再生部２０５は、詳細は後述するが、再生関連情報に基づいて、サイネージコンテンツ（映像コンテンツ）を再生する。
【００３８】
検知部２０７は、詳細は後述するが、外部メモリＭ１が記憶しているデータの状態の変化を検知するために、メモリ装着状態において、外部メモリＭ１のレジスタにアクセスする。放送受信部２０８は、アンテナ等（図示せず）を利用して、外部から放送コンテンツを受信するための構成要素である。放送コンテンツとは、例えば、デジタル放送の規格に従った映像コンテンツである。
【００３９】
また、設定データ管理部２０４は、再生設定データＤＴ２を管理している。再生設定データＤＴ２は、表示装置２００を制御するための制御データである。具体的には、再生設定データＤＴ２は、表示装置２００におけるサイネージコンテンツの再生における詳細な設定を制御するためのデータである。
【００４０】
再生設定データＤＴ２は、不揮発メモリ２０９に記憶されている。なお、再生設定データＤＴ２は、設定データ管理部２０４が記憶していてもよい。
【００４１】
図４は、再生設定データＤＴ２の構成の一例を示す図である。再生設定データＤＴ２は、複数の画質設定データおよび音質設定データから構成される。各画質設定データは、再生設定データＤＴ２において、「画質設定」を示す行に対応するデータである。各音質設定データは、再生設定データＤＴ２において、「音質設定」を示す行に対応するデータである。以下においては、画質設定データおよび音質設定データの各々を、「再生用データ」ともいう。
【００４２】
図４において、「設定ＩＤ」とは、再生用データ（画質設定データ、音質設定データ）を識別するための情報である。また、「設定名（大分類）」とは、大分類に属する設定対象の項目の名称である。大分類「画質設定」を示す画質設定データの設定対象は、画質である。また、大分類「音質設定」を示す音質設定データの設定対象は、音質である。
【００４３】
また、図４において、「設定名（小分類）」とは、小分類に属する設定対象の項目の名称である。当該小分類とは、上記の大分類で示される項目の詳細な設定に相当する分類である。「最大値」とは、当該最大値に対応する「設定名（小分類）」で示される項目（例、バックライト）に対して、設定可能な最大値である。「最小値」とは、当該最小値に対応する「設定名称（小分類）」で示される項目（例、バックライト）に対して、設定可能な最小値である。「現在値」とは、現在において設定されている設定値である。当該設定値は、「設定名称（小分類）」で示される項目に対して設定されている値である。
【００４４】
なお、前述の再生関連情報は、例えば、図４の再生設定データＤＴ２が示す現在値である。すなわち、制御データである再生設定データＤＴ２は、再生関連情報を示す。
【００４５】
再び、図２を参照して、出力部２１０は、映像コンテンツを出力する。具体的には、出力部２１０は、音声出力部２１１と、表示部２１２とを含む。音声出力部２１１は、スピーカである。表示部２１２は、画像を表示するためのディスプレイである。表示部２１２は、必要に応じて、表示領域Ｒ２に画像を表示する。
【００４６】
なお、制御部２０１、メモリ制御部２０２、設定データ管理部２０４、再生部２０５、検知部２０７および放送受信部２０８の全てまたは一部は、ＬＳＩ（Large Scale Integration）等のハードウエアで構成されてもよい。また、制御部２０１、メモリ制御部２０２、設定データ管理部２０４、再生部２０５、検知部２０７および放送受信部２０８の全てまたは一部は、ＣＰＵ（Central Processing Unit）等のプロセッサにより実行される、プログラムのモジュールであってもよい。
【００４７】
次に、サイネージシステム１０００の大まか動作について説明する。ユーザが、外部メモリＭ１を、表示装置２００のメモリスロットに装着したとする。この場合、外部メモリＭ１に電力が供給される。そして、外部メモリＭ１は、アクセスポイントモードを有効化する。これにより、外部メモリＭ１は、Ｗｅｂサーバとして機能する。
【００４８】
また、表示装置２００は、メモリ装着状態の発生と当時に、外部メモリＭ１に映像コンテンツ（サイネージコンテンツ）が存在するか否かを確認する。外部メモリＭ１に映像コンテンツが存在する場合、表示装置２００は、当該映像コンテンツを自動的に再生する。
【００４９】
次いで、操作端末１００が、無線通信モードを有効化する。これにより、操作端末１００は、アクセスポイントモードの外部メモリＭ１に対し無線通信可能となる。
【００５０】
次いで、操作端末１００は、Ｗｅｂブラウザを起動し、当該Ｗｅｂブラウザを、表示領域Ｒ１に表示する。そして、操作端末１００は、Ｗｅｂサーバ（ＨＴＴＰサーバ）として機能する外部メモリＭ１と無線通信を行う。なお、操作端末１００は、必要に応じて、操作用Ｗｅｂアプリケーションを、外部メモリＭ１からダウンロードし、Ｗｅｂブラウザ上に、当該操作用Ｗｅｂアプリケーションを表示する。操作用Ｗｅｂアプリケーションは、前述したように、表示装置２００を操作するためのアプリケーションである。
【００５１】
次いで、操作端末１００が表示領域Ｒ１に表示しているＷｅｂブラウザに表示された操作用Ｗｅｂアプリケーションを、ユーザが操作する。これにより、操作端末１００は、表示装置２００が再生するための映像コンテンツ、制御コマンド等を、当該表示装置２００へ送信する。以下においては、外部メモリＭ１が記憶しているデータを、「記憶データ」ともいう。記憶データは、例えば、映像コンテンツ、サイネージ設定データ等である。すなわち、記憶データは、映像コンテンツを含む。
【００５２】
なお、外部メモリＭ１には、さらに、ファイル管理情報が記憶されている。ファイル管理情報とは、記憶データを管理するための管理情報（ディレクトリエントリ）である。ファイル管理情報は、ファイル情報を示す。当該ファイル情報は、記憶データの存在位置を示す情報、記憶データの作成日時および更新日時、記憶データのサイズ等を示す。なお、外部メモリＭ１の映像コンテンツは、例えば、所定のディレクトリに記憶される。なお、ディレクトリ、データ（記憶データ）等により構成される構造を、「ファイルシステム」という。
【００５３】
表示装置２００は、外部メモリＭ１の記憶データの状態を、常時、監視している。表示装置２００は、記憶データの変化（更新）を検知した場合、映像コンテンツの再生を停止する。そして、表示装置２００は、外部メモリＭ１のファイル管理情報、ファイルシステム等を更新する。次に、表示装置２００は、更新されたファイル管理情報に基づき、映像コンテンツの再生を再開する。
【００５４】
以上が、サイネージシステム１０００の大まかな動作である。
【００５５】
次に、表示装置２００の電源がオンされた場合における処理（以下、「起動時処理」ともいう）について説明する。
【００５６】
ここで、前提Ｎにおいて、起動時処理が行われるとする。前提Ｎでは、サイネージ設定データＤＴ１は、サイネージモードの制御値等を示す。また、前提Ｎでは、表示装置２００の状態は、メモリ装着状態であるとする。また、前提Ｎでは、外部メモリＭ１には、予めサイネージ設定データＤＴ１が記憶されているとする。なお、外部メモリＭ１には、サイネージ設定データＤＴ１が記憶されてなくてもよい。
【００５７】
表示装置２００の電源がオンされた場合、起動時処理では、まず、制御部２０１が起動する。そして、制御部２０１は、サイネージ設定要求指示を、メモリ制御部２０２へ送信する。サイネージ設定要求指示は、サイネージ設定データＤＴ１が示す設定データＤＴ１ａを要求するための指示である。
【００５８】
次いで、メモリ制御部２０２は、受信したサイネージ設定要求指示を、外部メモリＭ１へ送信する。外部メモリＭ１がサイネージ設定データＤＴ１を記憶している場合、当該外部メモリＭ１は、サイネージ設定データＤＴ１が示す設定データＤＴ１ａを、メモリ制御部２０２を介して制御部２０１へ送信する。
【００５９】
一方、外部メモリＭ１がサイネージ設定データＤＴ１を記憶していない場合、当該外部メモリＭ１は、非存在通知を、メモリ制御部２０２を介して制御部２０１へ送信する。非存在通知は、外部メモリＭ１がサイネージ設定データＤＴ１を記憶していないことを示す通知である。
【００６０】
制御部２０１は、非存在通知を受信した場合、サイネージ設定要求指示を、設定データ管理部２０４へ送信する。設定データ管理部２０４は、サイネージ設定要求指示に従い、不揮発メモリ２０９に記憶されているサイネージ設定データＤＴ１が示す設定データＤＴ１ａを当該不揮発メモリ２０９から取得する。そして、設定データ管理部２０４は、サイネージ設定データＤＴ１が示す設定データＤＴ１ａを、制御部２０１へ送信する。
【００６１】
制御部２０１は、外部メモリＭ１または設定データ管理部２０４より取得した設定データＤＴ１ａの制御値に基づき、再生開始指示を、再生部２０５へ送信する。再生開始指示とは、サイネージコンテンツ（映像コンテンツ）の再生を開始するための指示である。なお、再生開始指示には、設定データＤＴ１ａの制御値に対応する拡張子等が示される。例えば、設定データＤＴ１ａの制御値が、図３の“２”である場合、再生対象のサイネージコンテンツ（映像コンテンツ）は、動画である。この場合、再生開始指示には、動画を特定する拡張子（例えば、「ｍｐｇ」）等が示される。
【００６２】
再生開始指示を受信した再生部２０５は、再生リスト作成処理を行う。再生リスト作成処理では、再生部２０５は、再生リストを作成するための処理を行う。再生リストとは、再生対象の映像コンテンツを特定する情報と、再生対象の映像コンテンツを再生する順序等を示すリストである。以下においては、サイネージコンテンツ（映像コンテンツ）の名称を、「コンテンツ名」または「ファイル名」ともいう。
【００６３】
再生リスト作成処理では、再生部２０５が、制御部２０１およびメモリ制御部２０２を介して、外部メモリＭ１から、再生開始指示が示す拡張子を示す、サイネージコンテンツのコンテンツ名（ファイル名）を抽出する。そして、再生部２０５は、抽出したコンテンツ名を示す再生リストを作成する。なお、抽出されたコンテンツ名が複数である場合、再生部２０５は、複数のコンテンツ名を、例えば、アルファベット順に並べ替えた再生リストを作成する。
【００６４】
そして、再生部２０５は、再生リストに従って、サイネージコンテンツ（映像コンテンツ）の再生を行う。具体的には、再生部２０５は、再生リストが示す１番目のコンテンツ名のサイネージコンテンツを、制御部２０１およびメモリ制御部２０２を介して、外部メモリＭ１から取得するための処理を行う。そして、再生部２０５は、取得したサイネージコンテンツの再生を行う。
【００６５】
なお、サイネージコンテンツが圧縮されている場合、再生部２０５は、当該サイネージコンテンツをデコードする。そして、再生部２０５は、当該デコードにより得られた画像データおよび音声データを、出力部２１０へ送信する。
【００６６】
出力部２１０では、表示部２１２が、受信した画像データに基づく画像を表示するとともに、音声出力部２１１が、受信した音声データに基づく音声を出力する。
【００６７】
次に、操作端末１００が、サイネージコンテンツを外部メモリＭ１へ送信する場合において、当該表示装置２００が行う処理（以下、「データ管理処理Ｎ」ともいう）について説明する。
【００６８】
一般に、外部メモリＭ１に記憶されているデータ（記憶データ）の状態が変化した場合、記憶データの状態の変化に対応するようにファイル管理情報の更新が行わなければ、外部から当該記憶データを参照できない。例えば、外部メモリＭ１に、サイネージコンテンツをさらに記憶させた場合、外部メモリＭ１における、当該サイネージコンテンツを含む記憶データの構成に基づいて、当該記憶データに参照できるようにファイル管理情報を更新する必要がある。そこで、以下のデータ管理処理Ｎが行われる。
【００６９】
ここで、外部メモリＭ１のＷｅｂサーバモードは、有効化されているとする。すなわち、外部メモリＭ１は、Ｗｅｂサーバ（ＨＴＴＰサーバ）として動作しているとする。また、操作端末１００は、Ｗｅｂサーバとして動作する外部メモリＭ１から、操作用Ｗｅｂアプリケーションをダウンロードし、当該操作用Ｗｅｂアプリケーションを記憶しているとする。また、操作端末１００が表示領域Ｒ１に表示しているＷｅｂブラウザに、操作用Ｗｅｂアプリケーションが表示されているとする。
【００７０】
まず、操作端末１００は、ユーザが送信操作Ｍを行った場合、操作用Ｗｅｂアプリケーションを利用して、サイネージコンテンツを外部メモリＭ１へ送信する。当該送信操作Ｍとは、サイネージコンテンツを外部メモリＭ１へ送信するための、操作用Ｗｅｂアプリケーション（操作端末１００）に対する操作である。
【００７１】
外部メモリＭ１は、記憶データの状態が変化した場合、当該記憶データの状態が変化したことを表示装置２００に通知するためのレジスタ更新処理を行う。以下においては、記憶データの状態の変化を、「データ変化」ともいう。
【００７２】
具体的には、外部メモリＭ１は、操作端末１００が送信するサイネージコンテンツの受信が完了し、当該サイネージコンテンツを記憶した場合、レジスタ更新処理を行う。外部メモリＭ１がサイネージコンテンツを記憶した場合、データ変化が発生する。すなわち、データ変化が発生した場合、レジスタ更新処理が行われる。
【００７３】
レジスタ更新処理では、外部メモリＭ１が、レジスタ値“０”を“１”に変更する。レジスタ値“１”は、データ変化を示すための値である。すなわち、外部メモリＭ１のレジスタは、データ変化が発生した場合、当該データ変化を示すための値を示す。
【００７４】
図５は、データ管理処理Ｎのフローチャートである。ここで、前提Ａ１において、データ管理処理Ｎが行われるとする。前提Ａ１では、表示装置２００の状態が、メモリ装着状態である。前提Ａ１では、再生部２０５が、前述の再生関連情報に基づいて、外部メモリＭ１が記憶しているサイネージコンテンツを再生している。ここで、再生関連情報が、一例として、設定データＤＴ１ａが示す制御値“２”であるとする。この場合、再生部２０５は、動画であるサイネージコンテンツを再生している。データ管理処理Ｎでは、まず、ステップＳ１１０の処理が行われる。
【００７５】
ステップＳ１１０では、レジスタ値参照処理が行われる。レジスタ値参照処理では、検知部２０７が、外部メモリＭ１のレジスタにアクセスし、外部メモリＭ１のレジスタのレジスタ値を参照する。
【００７６】
ステップＳ１２０では、検知部２０７が、参照したレジスタ値が“１”であるか否かを判定する。ステップＳ１２０においてＹＥＳならば、検知部２０７は、レジスタ値を“０”に変更するように、外部メモリＭ１を制御する。レジスタ値が“１”である場合（ステップＳ１２０においてＹＥＳ）、データ変化が発生した場合である。そして、処理はステップＳ１３０へ移行する。
【００７７】
一方、ステップＳ１２０においてＮＯならば、再度、ステップＳ１１０の処理が行われる。なお、レジスタ値が“０”である場合、レジスタ値参照処理は、一定時間経過毎に繰り返し行われる。
【００７８】
ステップＳ１１０，Ｓ１２０により、検知部２０７は、外部メモリＭ１にアクセスすることにより、データ変化を検知するための処理が行われる。なお、レジスタ値が“１”である場合、検知部２０７は、データ変化を検知する。すなわち、検知部２０７は、外部メモリＭ１のレジスタの値を参照することにより、データ変化を検知する。
【００７９】
ステップＳ１３０では、再生停止処理が行われる。再生停止処理では、制御部２０１が、再生停止指示を、再生部２０５へ送信する。再生停止指示は、サイネージコンテンツの再生を停止させるための指示である。再生部２０５は、再生停止指示に従って、サイネージコンテンツの再生を停止する。
【００８０】
ステップＳ１４０では、制御部２０１が更新処理Ｎを行う。なお、更新処理Ｎが行われる直前では、制御部２０１が、記憶データの状態が変化することにより外部から当該記憶データの参照ができなくなっている。当該外部は、例えば、制御部２０１、メモリ制御部２０２、アプリケーション等である。
【００８１】
更新処理Ｎは、管理情報であるファイル管理情報を更新（再作成）するための処理である。具体的には、更新処理Ｎは、制御部２０１が、外部から記憶データの参照ができなくなった状況において、当該外部から当該記憶データの参照ができるように管理情報（ファイル管理情報）を更新（再作成）する処理である。更新処理Ｎは、ファイルシステムの再構築のための処理である。
【００８２】
具体的には、更新処理Ｎでは、アンマウント処理およびマウント処理が行われる。まず、アンマウント処理が行われる。アンマウント処理では、制御部２０１が、メモリ制御部２０２と外部メモリＭ１との間の通信が停止されるよう、当該メモリ制御部２０２を制御する。これにより、外部メモリＭ１がアンマウントされる。
【００８３】
マウント処理では、制御部２０１が、メモリ制御部２０２を介して、外部から記憶データの参照ができるように、管理情報であるファイル管理情報を更新する。なお、ファイル管理情報（ディレクトリエントリ）を更新するための処理は、一般的な処理であるので詳細な説明は繰り返さない。簡単に言えば、制御部２０１が、ファイル管理情報が示すファイル情報の解析、リスト化等を行う。
【００８４】
ステップＳ１２０、Ｓ１４０により、検知部２０７がデータ変化を検知した場合、制御部２０１が更新処理Ｎを行う。
【００８５】
ステップＳ１５０では、再生リスト更新処理が行われる。再生リスト更新処理では、制御部２０１が、外部メモリＭ１に追加されたサイネージコンテンツのコンテンツ名を使用して、再生リストを更新する。例えば、制御部２０１は、再生リストに、当該追加されたサイネージコンテンツのコンテンツ名を追記することにより、当該再生リストを更新する。再生リストの更新により、外部メモリＭ１に追加されたサイネージコンテンツも、再生対象のコンテンツとなる。
【００８６】
ステップＳ１６０では、再生処理が行われる。再生処理では、制御部２０１が、サイネージ設定データＤＴ１が示す再生関連情報に基づいて、再生が停止されているサイネージコンテンツを、再生部２０５が再生するように、当該再生部２０５を制御する。これにより、再生部２０５は、再生が停止されているサイネージコンテンツを再生する。
【００８７】
ステップＳ１３０，Ｓ１４０，Ｓ１６０により、再生部２０５は、更新処理Ｎが行われる前にサイネージコンテンツ（映像コンテンツ）の再生を停止し、更新処理Ｎが終了した後、再生が停止されている当該サイネージコンテンツを再生する。
【００８８】
ステップＳ１７０では、検知部２０７が、レジスタ値を“０”に変更するように、外部メモリＭ１を制御する。外部メモリＭ１は、検知部２０７による制御に従って、レジスタ値を“０”に変更する。以上により、このデータ管理処理Ｎは終了する。
【００８９】
次に、無線通信を利用して、再生関連情報を変更するための処理（以下、「設定変更制御処理Ａ」ともいう）について説明する。
【００９０】
ここで、前提Ａ２において、設定変更制御処理Ａが行われるとする。前提Ａ２では、サイネージ設定データＤＴ１および再生設定データＤＴ２は、不揮発メモリ２０９に記憶されている。また、また、前提Ａ２では、外部メモリＭ１は、Ｗｅｂサーバ（ＨＴＴＰサーバ）として動作している。また、前提Ａ２では、操作端末１００が、Ｗｅｂサーバとして動作する外部メモリＭ１と無線通信を行う。すなわち、外部メモリＭ１は、外部端末である操作端末１００と無線通信を行う。また、前提Ａ２では、操作端末１００が表示領域Ｒ１に表示しているＷｅｂブラウザに、前述の操作用Ｗｅｂアプリケーションが表示されている。前提Ａ２では、再生部２０５が、前述の再生関連情報に基づいて、外部メモリＭ１が記憶しているサイネージコンテンツを再生している。
【００９１】
設定変更制御処理Ａでは、表示装置２００の制御部２０１が、設定データ要求指示を、設定データ管理部２０４へ送信する。設定データ要求指示とは、サイネージ設定データＤＴ１および再生設定データＤＴ２を要求する指示である。
【００９２】
設定データ管理部２０４は、設定データ要求指示に従って、不揮発メモリ２０９から、サイネージ設定データＤＴ１および再生設定データＤＴ２を読み出す。そして、設定データ管理部２０４は、当該サイネージ設定データＤＴ１および再生設定データＤＴ２を、制御部２０１へ送信する。
【００９３】
次に、アプリケーション生成処理Ａが行われる。アプリケーション生成処理Ａでは、制御部２０１が、サイネージ設定データＤＴ１および再生設定データＤＴ２を利用して、操作用ＷｅｂアプリケーションＡ１を生成する。具体的には、制御部２０１は、サイネージ設定データＤＴ１が示す各制御値、および、再生設定データＤＴ２が示す各現在値を示す操作用ＷｅｂアプリケーションＡ１を生成する。
【００９４】
サイネージ設定データＤＴ１が示す各制御値は、サイネージコンテンツ（映像コンテンツ）の再生に関する情報である。再生設定データＤＴ２が示す各現在値は、サイネージコンテンツ（映像コンテンツ）の設定（再生時の設定）に関する情報である。
【００９５】
なお、操作用ＷｅｂアプリケーションＡ１は、サイネージ設定データＤＴ１が示す各制御値のみ、または、再生設定データＤＴ２が示す各現在値のみを示してもよい。
【００９６】
すなわち、操作用ＷｅｂアプリケーションＡ１は、サイネージコンテンツの再生に関する情報、および、当該サイネージコンテンツの設定に関する情報の両方または一方を示す設定データである。
【００９７】
操作用ＷｅｂアプリケーションＡ１は、ＨＴＭＬ（Hypertext Markup Language）およびＪａｖａスクリプト等で構成される。なお、「Ｊａｖａ」は、登録商標である。
【００９８】
操作用ＷｅｂアプリケーションＡ１は、サイネージ設定データＤＴ１が示す、現在における前述の設定制御値を表示する機能を有する。以下においては、現在における設定制御値を「現在値」ともいう。また、操作用ＷｅｂアプリケーションＡ１は、再生設定データＤＴ２が示す各現在値を表示する機能を有する。
【００９９】
また、操作用ＷｅｂアプリケーションＡ１は、サイネージ設定データＤＴ１が示す設定制御値（現在値）が変更された場合、当該設定制御値（現在値）を変更するためのサイネージ用変更データを生成する機能を有する。サイネージ用変更データは、変更対象の設定データの設定ＩＤと、変更後の設定制御値（制御値）とを示す。例えば、図３の設定データＤＴ１ａの制御値“１”が、“３”に変更された場合、サイネージ用変更データは、設定ＩＤ“１”および制御値“３”を示す。
【０１００】
また、操作用ＷｅｂアプリケーションＡ１は、再生設定データＤＴ２が示す現在値が変更された場合、当該現在値を変更するための再生用変更データを生成する機能を有する。再生用変更データは、変更対象の設定データの設定ＩＤと、変更後の現在値とを示す。例えば、図４の設定名「コントラスト」を示す画質設定データの現在値“０”が、“５”に変更された場合、再生用変更データは、設定ＩＤ“１１”および現在値“５”を示す。
【０１０１】
また、操作用ＷｅｂアプリケーションＡ１は、サイネージ用変更データおよび再生用変更データを、外部メモリＭ１へ送信する機能を有する。
【０１０２】
次に、アプリケーション記憶処理Ａが行われる。アプリケーション記憶処理Ａでは、制御部２０１が、操作用ＷｅｂアプリケーションＡ１を、メモリ制御部２０２へ送信する。メモリ制御部２０２は、操作用ＷｅｂアプリケーションＡ１を、外部メモリＭ１に記憶させる。なお、外部メモリＭ１と無線通信を行う外部端末である操作端末１００が操作用ＷｅｂアプリケーションＡ１（設定データ）を参照自在なように、当該操作用ＷｅｂアプリケーションＡ１は外部メモリＭ１に記憶される。
【０１０３】
次に、操作端末１００は、ユーザが取得操作Ｍを行った場合、操作用Ｗｅｂアプリケーションを利用して、Ｗｅｂサーバとして動作する外部メモリＭ１から操作用ＷｅｂアプリケーションＡ１を取得する。当該取得操作Ｍは、外部メモリＭ１から操作用ＷｅｂアプリケーションＡ１を取得するための、操作用Ｗｅｂアプリケーション（操作端末１００）に対する操作である。
【０１０４】
そして、操作端末１００は、Ｗｅｂブラウザに操作用ＷｅｂアプリケーションＡ１を表示する。この状態において、ユーザが設定変更操作Ｍを行ったとする。設定変更操作Ｍは、設定変更操作Ｍａと設定変更操作Ｍｂとを含むとする。
【０１０５】
設定変更操作Ｍａは、例えば、図３のサイネージ設定データＤＴ１が示す、前述の現在値である設定制御値（制御値）を変更するための、操作用ＷｅｂアプリケーションＡ１（操作端末１００）に対する操作である。変更対象の現在値（制御値）は、例えば、図３の設定データＤＴ１ａの制御値であるとする。設定変更操作Ｍａにより、当該制御値は、例えば、“１”から“３”に変更されたとする。
【０１０６】
設定変更操作Ｍｂは、例えば、図４の再生設定データＤＴ２が示す現在値を変更するための、操作用ＷｅｂアプリケーションＡ１（操作端末１００）に対する操作であるとする。変更対象の現在値は、例えば、図４の設定名「コントラスト」を示す画質設定データのコントラストの現在値であるとする。
【０１０７】
上記の設定変更操作Ｍａが行われた場合、操作端末１００（操作用ＷｅｂアプリケーションＡ１）は、変更された制御値を示す設定データの設定ＩＤと、変更後の設定制御値（制御値）とを示すサイネージ用変更データを生成する。そして、操作端末１００は、当該サイネージ用変更データを、Ｗｅｂサーバとして動作する外部メモリＭ１へ送信する。外部メモリＭ１は、受信したサイネージ用変更データを記憶する。
【０１０８】
また、上記の設定変更操作Ｍｂが行われた場合、操作端末１００（操作用ＷｅｂアプリケーションＡ１）は、変更された現在値を示す設定データの設定ＩＤと、変更後の現在値とを示す再生用変更データを生成する。そして、操作端末１００は、当該再生用変更データを、Ｗｅｂサーバとして動作する外部メモリＭ１へ送信する。外部メモリＭ１は、受信した再生用変更データを記憶する。
【０１０９】
また、外部メモリＭ１は、操作端末１００が送信するデータ（サイネージ用変更データ、再生用変更データ）の受信が完了し、当該データを記憶した場合、前述のレジスタ更新処理を行う。レジスタ更新処理の詳細は、前述したので詳細な説明は繰り返さない。これにより、レジスタ値“０”が“１”に変更される。
【０１１０】
なお、表示装置２００は、設定変更制御処理Ａと並列して、図６のデータ管理処理Ａを行う。図６において、図５のステップ番号と同じステップ番号の処理は、図５を用いて説明した処理と同様な処理が行われるので詳細な説明は繰り返さない。以下、図５のデータ管理処理Ｎと異なる点を中心に説明する。
【０１１１】
ステップＳ１１０〜Ｓ１２０は、前述したので詳細な説明は繰り返さない。レジスタ値が“１”である場合、ステップＳ１３０の処理が行われる。
【０１１２】
ステップＳ１３０では、前述した再生停止処理が行われるので詳細な説明は繰り返さない。これにより、サイネージコンテンツの再生は停止される。
【０１１３】
ステップＳ１４０では、前述した更新処理Ｎが行われるので詳細な説明は繰り返さない。
【０１１４】
ステップＳ１５０では、前述した再生リスト更新処理が行われるので詳細な説明は繰り返さない。
【０１１５】
ステップＳ１５１Ａでは、設定変更対応処理Ａが行われる。設定変更対応処理Ａでは、制御部２０１が、メモリ制御部２０２を介して、外部メモリＭ１を参照する。そして、制御部２０１は、外部メモリＭ１が、サイネージ用変更データおよび再生用変更データの少なくとも一方を記憶しているか否かを判定する。外部メモリＭ１が、サイネージ用変更データおよび再生用変更データの両方を記憶していない場合、この設定変更対応処理Ａは終了する。
【０１１６】
一方、外部メモリＭ１がサイネージ用変更データを記憶している場合、サイネージ用変更処理が行われる。サイネージ用変更処理では、制御部２０１が、メモリ制御部２０２を介して、サイネージ用変更データを参照する。そして、制御部２０１は、サイネージ用変更データが示す設定ＩＤおよび変更後の設定制御値を抽出する。
【０１１７】
そして、制御部２０１は、設定変更指示Ｓ１を、設定データ管理部２０４へ送信する。当該設定変更指示Ｓ１は、サイネージ設定データＤＴ１における制御値を変更するための指示である。なお、設定変更指示Ｓ１には、抽出された設定ＩＤおよび変更後の設定制御値も示される。
【０１１８】
設定データ管理部２０４は、設定変更指示Ｓ１に従って、当該設定変更指示Ｓ１が示す設定ＩＤおよび変更後の設定制御値を利用して、サイネージ設定データＤＴ１を更新する。
【０１１９】
ここで、一例として、設定変更指示Ｓ１が、設定ＩＤ“１”および変更後の設定制御値“３”を示すとする。この場合、設定データ管理部２０４は、サイネージ設定データＤＴ１の設定ＩＤ“１”の設定データＤＴ１ａの制御値を、“３”に変更する。
【０１２０】
また、設定データ管理部２０４は、制御値の変更を各部（例えば、制御部２０１、再生部２０５）に通知する。これにより、サイネージコンテンツの再生方法において、変更があった項目が即時に反映される。次いで、制御部２０１は、メモリ制御部２０２を介して、外部メモリＭ１が記憶しているサイネージ用変更データを消去する。
【０１２１】
また、外部メモリＭ１が再生用変更データを記憶している場合、再生用変更処理が行われる。再生用変更処理では、制御部２０１が、メモリ制御部２０２を介して、再生用変更データを参照する。そして、制御部２０１は、再生用変更データが示す設定ＩＤおよび変更後の現在値を抽出する。
【０１２２】
そして、制御部２０１は、設定変更指示Ｓ２を、設定データ管理部２０４へ送信する。当該設定変更指示Ｓ２は、再生設定データＤＴ２における現在値を変更するための指示である。なお、設定変更指示Ｓ２には、抽出された設定ＩＤおよび変更後の現在値も示される。
【０１２３】
設定データ管理部２０４は、設定変更指示Ｓ２に従って、当該設定変更指示Ｓ２が示す設定ＩＤおよび変更後の現在値を利用して、再生設定データＤＴ２を更新する。
【０１２４】
ここで、一例として、設定変更指示Ｓ２が、設定ＩＤ“１１”および変更後の現在値“５”を示すとする。この場合、設定データ管理部２０４は、再生設定データＤＴ２の設定ＩＤ“１１”の画質設定データの現在値を、“５”に変更する。
【０１２５】
また、設定データ管理部２０４は、現在値の変更を各部（例えば、制御部２０１、再生部２０５）に通知する。これにより、画質、音質のうち変更があった項目が即時に反映される。次いで、制御部２０１は、メモリ制御部２０２を介して、外部メモリＭ１が記憶している再生用変更データを消去する。
【０１２６】
また、制御部２０１は、外部メモリＭ１がサイネージ用変更データおよび再生用変更データの両方または一方を記憶している場合、当該サイネージ用変更データおよび再生用変更データの両方または一方を使用して、変更後の制御値、および、変更後の現在値の両方または一方を示す設定データを反映させた操作用Ｗｅｂアプリケーションを作成する。そして、メモリ制御部２０２は、制御部２０１による制御に従って、作成した操作用Ｗｅｂアプリケーションを、外部メモリＭ１が記憶している操作用Ｗｅｂアプリケーションに上書きする。
【０１２７】
ステップＳ１６０では、図５と同様、再生処理が行われる。再生処理では、制御部２０１が、サイネージ設定データＤＴ１が示す再生関連情報に基づいて、再生が停止されているサイネージコンテンツを、再生部２０５が再生するように、当該再生部２０５を制御する。これにより、再生部２０５は、再生が停止されているサイネージコンテンツを再生する。
【０１２８】
なお、前述の設定変更対応処理Ａによりサイネージ設定データＤＴ１が更新されている場合、制御部２０１は、更新された制御データであるサイネージ設定データＤＴ１に従って表示装置２００を制御する。すなわち、制御部２０１が、更新されたサイネージ設定データＤＴ１が示す再生関連情報に基づいて、再生が停止されているサイネージコンテンツを、再生部２０５が再生するように、当該再生部２０５を制御する。
【０１２９】
ここで、再生が停止されているサイネージコンテンツは、一例として、静止画であるとする。また、変更された制御値を示す設定データが設定データＤＴ１ａであり、変更後の設定制御値が“３”であるする。この場合、制御部２０１が、再生が停止されているサイネージコンテンツ（静止画）を、再生部２０５が再生するように、当該再生部２０５を制御する。そして、制御部２０１は、さらに、放送コンテンツも、再生部２０５が再生するように、当該再生部２０５を制御する。
【０１３０】
ステップＳ１７０では、前述した処理が行われるので詳細な説明は繰り返さない。そして、このデータ管理処理Ａは終了する。データ管理処理Ａの終了に伴い、設定変更制御処理Ａも終了する。
【０１３１】
以上の設定変更制御処理Ａおよびデータ管理処理Ａが行われることにより、サイネージコンテンツの再生方法、画質、音質等の設定変更を行うことができる。なお、本実施の形態では、サイネージコンテンツの再生方法、画質、音質等を、変更の対象としたが、表示装置の初期設定などあらゆる設定を変更できるようにしてもよい。
【０１３２】
次に、操作端末１００を利用して、表示装置２００の選局を変更するための処理（以下、「選局変更制御処理Ｂ」ともいう）について説明する。選局変更制御処理Ｂは、放送コンテンツの送信元である放送局を、変更するための処理である。
【０１３３】
ここで、前提Ａ３において、選局変更制御処理Ｂが行われるとする。前提Ａ３では、外部メモリＭ１は、Ｗｅｂサーバ（ＨＴＴＰサーバ）として動作している。また、前提Ａ３では、操作端末１００が表示領域Ｒ１に表示しているＷｅｂブラウザに、前述の操作用Ｗｅｂアプリケーションが表示されている。前提Ａ３では、放送受信部２０８が、外部から、放送コンテンツを受信している。
【０１３４】
選局変更制御処理Ｂでは、放送コンテンツ設定データＤＴ３が使用される。放送コンテンツ設定データＤＴ３は、詳細は後述するが、表示装置２００を制御するための制御データである。すなわち、表示装置２００は、放送コンテンツ設定データＤＴ３に基づいて制御される。放送コンテンツ設定データＤＴ３は、放送受信部２０８が記憶（管理）している。なお、放送コンテンツ設定データＤＴ３は、不揮発メモリ２０９に記憶されていてもよい。
【０１３５】
図７は、放送コンテンツ設定データＤＴ３の構成の一例を示す図である。放送コンテンツ設定データＤＴ３は、複数の放送設定データから構成される。各放送設定データは、放送コンテンツ設定データＤＴ３が示す行列状の情報のうち、行に対応するデータである。
【０１３６】
図７において、「チャンネル番号」とは、放送コンテンツに割り当てられている番号である。「放送局名」とは、放送コンテンツを提供する放送局の名称である。「ＴＳ＿ＩＤ」とは、トランスポートストリームＩＤである。「ＴＳ＿ＩＤ」は、対応する放送局が提供する放送コンテンツのストリームを特定するためのＩＤである。「サービスＩＤ」とは、放送サービスを特定するためのＩＤである。なお、ＴＳ＿ＩＤおよびサービスＩＤは、放送コンテンツの送信元（放送局）に関連する情報（以下、「送信元情報」ともいう）である。
【０１３７】
図７において、「選局フラグ」とは、放送コンテンツの送信元である放送局として、「放送局名」で特定される放送局を選択しているか否かを示すフラグである。「選局フラグ」が“０”である場合、対応する放送局が選択されていないことを示す。「選局フラグ」が“１”である場合、対応する放送局が選択されていることを示す。
【０１３８】
図７の放送コンテンツ設定データＤＴ３では、一例として、放送コンテンツの送信元である放送局として、放送局名が「ＢＢＢテレビ」である放送局が選択されていることを示す。以下においては、選局（選択）されている放送局を、「選択放送局」ともいう。
【０１３９】
選局変更制御処理Ｂでは、まず、表示装置２００の制御部２０１が、放送データ要求指示を、放送受信部２０８へ送信する。放送データ要求指示とは、放送コンテンツ設定データＤＴ３を要求するための指示である。放送受信部２０８は、放送データ要求指示に従って、放送コンテンツ設定データＤＴ３を、制御部２０１へ送信する。
【０１４０】
次に、アプリケーション生成処理Ｂが行われる。アプリケーション生成処理Ｂでは、制御部２０１が、放送コンテンツ設定データＤＴ３が示す、チャンネル番号、放送局名、ＴＳ＿ＩＤ、サービスＩＤ、選局フラグ等から、操作用ＷｅｂアプリケーションＢ１を生成する。操作用ＷｅｂアプリケーションＢ１は、ＨＴＭＬおよびＪａｖａスクリプト等で構成される。
【０１４１】
操作用ＷｅｂアプリケーションＢ１は、選択放送局の名称（例、ＢＢＢテレビ）、選択放送局に対応するチャンネル番号を表示する機能を有する。また、操作用ＷｅｂアプリケーションＢ１は、選択候補となる、複数の放送局名（チャンネル名称）のリストを表示する。また、操作用ＷｅｂアプリケーションＢ１は、ユーザの操作により選択された放送局を特定するデータ（以下、「選局変更用データ」ともいう）を作成する機能を有する。当該選択された放送局とは、既に選択されている放送局（選択放送局）とは別の放送局である。
【０１４２】
当該選局変更用データは、放送コンテンツの送信元である放送局を変更するためのデータ（選局変更データ）である。選局変更用データは、詳細は後述するが、放送コンテンツの送信元（放送局）に関連する情報を示す。当該選局変更用データは、例えば、テキストファイルで構成される。選局変更用データは、表示装置２００を制御するための制御データである。
【０１４３】
また、操作用ＷｅｂアプリケーションＢ１は、選局変更用データを、外部メモリＭ１へ送信する機能を有する。
【０１４４】
次に、アプリケーション記憶処理Ｂが行われる。アプリケーション記憶処理Ｂでは、制御部２０１が、操作用ＷｅｂアプリケーションＢ１を、メモリ制御部２０２へ送信する。メモリ制御部２０２は、操作用ＷｅｂアプリケーションＢ１を、外部メモリＭ１に記憶させる。
【０１４５】
次に、操作端末１００は、ユーザが取得操作ＭＢを行った場合、操作用Ｗｅｂアプリケーションを利用して、Ｗｅｂサーバとして動作する外部メモリＭ１から操作用ＷｅｂアプリケーションＢ１を取得する。当該取得操作ＭＢは、外部メモリＭ１から操作用ＷｅｂアプリケーションＢ１を取得するための、操作用Ｗｅｂアプリケーション（操作端末１００）に対する操作である。
【０１４６】
そして、操作端末１００は、Ｗｅｂブラウザに操作用ＷｅｂアプリケーションＢ１を表示する。この状態において、ユーザが変更操作ＭＢを行ったとする。変更操作ＭＢは、例えば、既に選択されている放送局（選択放送局）を変更するための、操作用ＷｅｂアプリケーションＢ１（操作端末１００）に対する操作である。
【０１４７】
変更操作ＭＢが行われた場合、操作用ＷｅｂアプリケーションＢ１（操作端末１００）は、前述の選局変更用データを生成する。選局変更用データは、前述したように、放送コンテンツの送信元である放送局を変更するためのデータである。選局変更用データは、変更操作ＭＢにより選択された放送局に対応するＴＳ＿ＩＤおよびサービスＩＤを示す。制御データである選局変更用データが示すＴＳ＿ＩＤおよびサービスＩＤは、放送コンテンツの送信元（放送局）に関連する情報（送信元情報）である。
【０１４８】
なお、選局変更用データは、ＴＳ＿ＩＤおよびサービスＩＤの代わりに、変更操作ＭＢにより選択された放送局に対応するチャンネル番号を示してもよい。
【０１４９】
そして、操作端末１００は、当該選局変更用データを、Ｗｅｂサーバとして動作する外部メモリＭ１へ送信する。外部メモリＭ１は、受信した選局変更用データを記憶する。
【０１５０】
ここで、一例として、変更操作ＭＢが行われる前の選択放送局の名称が「ＢＢＢテレビ」であるとする。また、変更操作ＭＢにより、名称が「ＣＣＣテレビ」である放送局が選択されたとする。この場合、選局変更用データは、ＴＳ＿ＩＤ“０ｘ３３３３”およびサービスＩＤ“０ｘ０００３”を示す。
【０１５１】
また、外部メモリＭ１は、操作端末１００が送信するデータ（選局変更用データ）の受信が完了し、当該データを記憶した場合、前述のレジスタ更新処理を行う。レジスタ更新処理の詳細は、前述したので詳細な説明は繰り返さない。これにより、レジスタ値“０”が“１”に変更される。
【０１５２】
なお、表示装置２００は、選局変更制御処理Ｂと並列して、図８のデータ管理処理Ｂを行う。図８において、図５のステップ番号と同じステップ番号の処理は、図５を用いて説明した処理と同様な処理が行われるので詳細な説明は繰り返さない。以下、図５のデータ管理処理Ｎと異なる点を中心に説明する。
【０１５３】
ステップＳ１１０〜Ｓ１２０は、前述したので詳細な説明は繰り返さない。レジスタ値が“１”である場合、ステップＳ１３０の処理が行われる。
【０１５４】
ステップＳ１３０では、前述した再生停止処理が行われるので詳細な説明は繰り返さない。これにより、サイネージコンテンツの再生は停止される。
【０１５５】
ステップＳ１４０では、前述した更新処理Ｎが行われるので詳細な説明は繰り返さない。
【０１５６】
ステップＳ１５０では、前述した再生リスト更新処理が行われるので詳細な説明は繰り返さない。
【０１５７】
ステップＳ１５１Ｂでは、選局変更対応処理Ｂが行われる。選局変更対応処理Ｂでは、制御部２０１が、メモリ制御部２０２を介して、外部メモリＭ１を参照する。そして、制御部２０１は、外部メモリＭ１が、選局変更用データを記憶しているか否かを判定する。外部メモリＭ１が、選局変更用データを記憶していない場合、この選局変更対応処理Ｂは終了する。一方、外部メモリＭ１が選局変更用データを記憶している場合、選局変更処理が行われる。
【０１５８】
選局変更処理では、放送受信部２０８が、送信元情報に基づいて、放送コンテンツを受信するための当該送信元を変更する。具体的には、選局変更処理では、まず、制御部２０１が、メモリ制御部２０２を介して、選局変更用データを参照する。そして、制御部２０１は、選局変更用データが示すＴＳ＿ＩＤおよびサービスＩＤを抽出する。
【０１５９】
そして、制御部２０１は、選局変更指示を、放送受信部２０８へ送信する。当該選局変更指示は、選択放送局を変更するための指示である。なお、選局変更指示には、抽出されたＴＳ＿ＩＤおよびサービスＩＤも示される。
【０１６０】
放送受信部２０８は、選局変更指示に従って、当該選局変更指示が示すＴＳ＿ＩＤおよびサービスＩＤを利用して、放送コンテンツ設定データＤＴ３を更新する。
【０１６１】
ここで、一例として、放送コンテンツ設定データＤＴ３は、図７の各種情報を示すとする。また、選局変更指示が、ＴＳ＿ＩＤ“０ｘ３３３３”およびサービスＩＤ“０ｘ０００３”を示すとする。この場合、放送受信部２０８は、図７のチャンネル番号“２”に対応する選局フラグを“０”に設定するとともに、チャンネル番号“３”に対応する選局フラグを“１”に設定する。
【０１６２】
これにより、放送受信部２０８が受信する放送コンテンツの送信元は、放送局名が「ＢＢＢテレビ」である放送局から、放送局名が「ＣＣＣテレビ」である放送局に変更される。
【０１６３】
また、制御部２０１は、外部メモリＭ１が選局変更用データを記憶している場合、放送コンテンツ設定データＤＴ３において更新された情報を使用して、当該更新された情報を反映させた操作用Ｗｅｂアプリケーションを作成する。そして、制御部２０１は、メモリ制御部２０２を介して、作成した操作用Ｗｅｂアプリケーションを、外部メモリＭ１が記憶している操作用Ｗｅｂアプリケーションに上書きする。
【０１６４】
次いで、制御部２０１は、メモリ制御部２０２を介して、外部メモリＭ１が記憶している選局変更用データを消去する。
【０１６５】
ステップＳ１６０では、図５と同様、再生処理が行われるので詳細な説明は繰り返さない。
【０１６６】
ステップＳ１７０では、前述した処理が行われるので詳細な説明は繰り返さない。そして、このデータ管理処理Ｂは終了する。データ管理処理Ｂの終了に伴い、選局変更制御処理Ｂも終了する。
【０１６７】
以上の選局変更制御処理Ｂおよびデータ管理処理Ｂが行われることにより、操作端末１００を利用して、表示装置２００の選局を変更することができる。なお、上記説明では、放送コンテンツを対象としたが、操作端末１００を利用して、表示装置２００の表示対象を、外部入力端子から受信される映像コンテンツ、サイネージコンテンツ等に切り換えられるように構成されてもよい。また、操作端末１００を利用して、表示装置２００がＷｅｂクブラウザを起動し、表示装置２００が任意のＵＲＬに接続できるようにしてもよい。
【０１６８】
以上説明したように、本実施の形態によれば、表示装置２００は、無線通信を行う機能を有する外部メモリＭ１と通信する。制御部２０１は、検知部２０７が、外部メモリＭ１の記憶データの状態の変化であるデータ変化を検知した場合、当該記憶データを管理するための管理情報を更新する更新処理を行う。
【０１６９】
これにより、無線通信を行う機能を有する外部メモリＭ１のデータの状態を管理することができる。
【０１７０】
また、本実施の形態によれば、無線通信機能を有さない表示装置２００に対し、無線通信機能を、安価かつ簡単に追加できる。これにより、操作端末１００から無線通信による、表示装置２００が再生対象のサイネージコンテンツの遠隔変更を実現することができる。
【０１７１】
また、本実施の形態によれば、表示装置２００が再生するためのサイネージコンテンツを、操作端末１００が変更（更新）する。なお、前述のようにデータ管理処理Ｎが行われる。そのため、操作端末１００が、表示装置２００が再生するためのサイネージコンテンツを変更したことを、当該表示装置２００が容易に検知することができる。
【０１７２】
また、本実施の形態によれば、操作端末１００が表示装置２００の制御を行うことができる。例えば、操作端末１００が、表示装置２００のサイネージコンテンツの再生の制御を行うことができる。
【０１７３】
また、本実施の形態によれば、操作端末１００が表示装置２００の設定の変更を行う。なお、前述のように設定変更制御処理Ａが行われる。そのため、サイネージコンテンツの再生に関する情報の変更、サイネージコンテンツの設定に関する情報の変更等に、対応できる。
【０１７４】
また、本実施の形態によれば、ステップＳ１１０，Ｓ１２０により、検知部２０７は、外部メモリＭ１にアクセスすることにより、データ変化を検知するための処理が行われる。そのため、操作端末１００によるサイネージコンテンツの変更、各種設定データの変更等にも、対応できる。したがって、操作端末１００によるサイネージコンテンツの変更、各種設定データの変更等の検出を、人手を解さず、自動的に実施できる。
【０１７５】
また、本実施の形態によれば、前述した選局変更制御処理Ｂが行われる。そのため、操作端末１００により選局の変更にも、対応できる。
【０１７６】
また、本実施の形態によれば、メモリ制御部２０２は、操作用ＷｅｂアプリケーションＡ１を、外部メモリＭ１に記憶させる。なお、外部メモリＭ１と無線通信を行う外部端末である操作端末１００が操作用ＷｅｂアプリケーションＡ１（設定データ）を参照自在なように、当該操作用ＷｅｂアプリケーションＡ１は外部メモリＭ１に記憶される。
【０１７７】
これにより、操作端末１００が、操作用ＷｅｂアプリケーションＡ１（設定データ）を参照することができ、操作端末１００が表示装置２００に対して確実な制御を行うことができる。
【０１７８】
また、本実施の形態によれば、操作端末１００が参照自在な操作用ＷｅｂアプリケーションＡ１は、ＨＴＭＬで構成される。そのため、操作端末１００は、専用のアプリケーションを必要とせず、標準搭載されているＷｅｂブラウザを用いて、表示装置２００を制御できる。当該表示装置２００の制御により、例えば、ユーザの所望の情報を表示装置２００に表示したり、表示装置２００に、ユーザの所望のサイネージコンテンツを再生させることができる。
【０１７９】
また、本実施の形態では、表示装置２００が無線通信機能を備える必要はない。また、表示装置２００に無線通信機能を持たせるためには、表示装置２００に、単に、無線通信を行う機能を有する外部メモリを装着すればよい。
【０１８０】
そのため、表示装置２００を使用するサイネージシステム１０００の初期導入時は、例えば、最小規模でかつ安価なシステム構築を実現できる。また、サイネージシステム１０００は、表示装置２００の上記構成により、将来的に、無線通信機能（ネットワーク配信機能）を付加し、簡単にシステムアップできる。すなわち、本実施の形態では、このようなサイネージシステム１０００を実現するための表示装置２００を提供することができる。
【０１８１】
なお、関連技術Ａでは、前述したように、通信機能を有するサイネージ端末が、ネットワークを介してコンテンツ配信サーバから受信したコンテンツを表示する。そのため、関連技術Ａでは、ネットワーク経由で、コンテンツをダウンロードする機能をサイネージ端末に実装しておく必要がある。
【０１８２】
そのため、関連技術Ａを使用したサイネージシステムでは、各サイネージ端末に通信機能を実装させる必要があり、サイネージシステムのコストが高価になるという問題点がある。したがって、サイネージシステムの初期の費用を抑えたいと思うユーザは、サイネージシステムの導入に踏み切れないケースがある。サイネージシステムの初期の費用を抑える構成は、例えば、サイネージシステムの運用当初では、各サイネージ端末に通信機能（ネットワーク配信機能）を設けず、試験的に少数のサイネージ端末でサイネージシステムを構築する構成である。
【０１８３】
また、関連技術Ｂでは、前述したように、通信機能を有さない装置に適用できる。そのため、関連技術Ｂでは、関連技術Ａの上記問題点を解決できる。しかしながら、関連技術Ｂを使用したサイネージシステムでは、将来的に、当該サイネージシステムを、ネットワーク経由でコンテンツの配信が可能な構成にする場合、サイネージシステムを買い替える必要がある。そのため、関連技術Ｂを使用したサイネージシステムでは、多額の再投資が必要となるという問題点がある。
【０１８４】
そこで、本実施の形態は上記のように構成されるため、関連技術Ｂの上記問題点を解決することができる。
【０１８５】
（その他の変形例）
以上、本発明に係る表示装置について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【０１８６】
例えば、表示装置２００は、図２に示される全ての構成要素を含まなくてもよい。すなわち、表示装置２００は、本発明の効果を実現できる最小限の構成要素のみを含めばよい。例えば、制御部２０１が、メモリ制御部２０２が行う処理も行う構成とすれば、表示装置２００は、メモリ制御部２０２を含まなくてもよい。
【０１８７】
また、本発明は、表示装置２００が備える特徴的な構成部の動作をステップとするデータ管理方法として実現してもよい。また、本発明は、当該データ管理方法に含まれる各ステップをコンピュータが実行してもよい。また、本発明は、そのようなデータ管理方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１８８】
上記実施の形態で用いた全ての数値は、本発明を具体的に説明するための一例の数値である。すなわち、本発明は、上記実施の形態で用いた各数値に制限されない。
【０１８９】
また、本発明に係るデータ管理方法は、図５、図６または図８に相当する。データ管理方法における各処理の実行される順序は、本発明を具体的に説明するための一例であり、上記以外の順序であってもよい。また、データ管理方法における処理の一部と、他の処理とは、互いに独立して並列に実行されてもよい。
【０１９０】
なお、本発明は、その発明の範囲内において、実施の形態を適宜、変形、省略することが可能である。
【０１９１】
例えば、上記の実施の形態では、更新処理Ｎの直前において、サイネージコンテンツの再生を停止する構成としたが、更新処理Ｎの直前において、サイネージコンテンツの再生を継続する構成（以下、「変形構成Ａ」ともいう）としてもよい。
【０１９２】
「変形構成Ａ」では、例えば、図５、図６または図８において、ステップＳ１３０、Ｓ１６０の処理は行われなくてもよい。
【０１９３】
また、例えば、上記の実施の形態では、記憶データの状態の変化（データ変化）は、レジスタ値を参照することにより検知する構成としていた。この構成の場合、操作端末１００が、外部メモリＭ１のレジスタ値を変更可能とするための特別な仕様の追加を、外部メモリＭ１に対して行う必要がある。外部メモリＭ１として、汎用的なメモリカードを使用する構成において、データ変化の検知を行う場合、以下のデータ変化検知処理Ａを行う構成（以下、「変形構成Ｂ」ともいう）としてもよい。
【０１９４】
図９は、データ変化検知処理Ａのフローチャートである。データ変化検知処理Ａでは、まず、ステップＳ２１０の処理が行われる。
【０１９５】
ステップＳ２１０では、制御部２０１が、所定のタイミングから一定時間経過したか否かを判定する。一定時間は、例えば、１秒〜６０秒の間の予め設定された時間である。初めてステップＳ２１０が行われる場合、当該所定のタイミングは、データ変化検知処理Ａが開示されたタイミングである。１回目のステップＳ２１０が既に行われている場合、当該所定のタイミングは、例えば、後述のステップＳ２３０の処理が終了したタイミングである。
【０１９６】
ステップＳ２１０においてＹＥＳならば処理はステップＳ２２０へ移行する。一方ステップＳ２１０においてＮＯならば、再度、ステップＳ２１０の処理が行われる。
【０１９７】
ステップＳ２２０では、制御部２０１が更新処理Ａを行う。更新処理Ａでは、アンマウント処理およびマウント処理Ａが行われる。まず、アンマウント処理が行われる。アンマウント処理では、制御部２０１が、メモリ制御部２０２と外部メモリＭ１との間の通信が停止されるよう、当該メモリ制御部２０２を制御する。これにより、外部メモリＭ１がアンマウントされる。
【０１９８】
マウント処理Ａでは、制御部２０１が、メモリ制御部２０２を介して、管理情報であるファイル管理情報が示すファイル情報（ディレクトリエントリ）の解析、リスト化等を行い、ファイル管理情報の再構築を行う。これにより、ファイル管理情報は、再作成（更新）される。
【０１９９】
なお、記憶データの状態の変化が発生していた場合、作成（更新）されたファイル管理情報は、前回のステップＳ２２０が行われたときに生成（更新）されたファイル管理情報と異なる情報となる。なお、記憶データの状態の変化が発生していない場合、作成（更新）されたファイル管理情報は、作成（更新）された前のファイル管理情報と同じである。すなわち、マウント処理Ａ（更新処理Ａ）では、ファイル管理情報が変更されない場合もある。つまり、マウント処理Ａ（更新処理Ａ）で更新されたファイル管理情報は、更新される前のファイル管理情報と同じ場合がある。
【０２００】
なお、記憶データの状態の変化が発生していた状況で行われるマウント処理Ａ（更新処理Ａ）は、外部から記憶データの参照ができなくなった状況において、制御部２０１が、当該外部から当該記憶データの参照ができるように管理情報（ファイル管理情報）を更新（再作成）する処理である。
【０２０１】
また、制御部２０１は、作成した最新のファイル管理情報を、検知部２０７へ送信する。そして、この更新処理Ａは終了する。
【０２０２】
以下においては、ｎ（自然数）番目の更新処理Ａにより作成（更新）されたファイル管理情報を、「ファイル管理情報ｎ」ともいう。また、以下においては、（ｎ＋１）番目の前記更新処理Ａにより作成（更新）されたファイル管理情報を、「ファイル管理情報（ｎ＋１）」ともいう。
【０２０３】
ステップＳ２３０では、検知部２０７が、ファイル管理情報ｎと、ファイル管理情報（ｎ＋１）とを比較することにより、ファイル管理情報が変化したか否かが判定される。なお、初めてステップＳ２３０の処理が行われる場合、ファイル管理情報ｎおよびファイル管理情報（ｎ＋１）が存在しないため、再度、ステップＳ２１０の処理が行われる。
【０２０４】
ファイル管理情報ｎとファイル管理情報（ｎ＋１）との比較は、例えば、ファイル管理情報ｎが示すファイルの数と、ファイル管理情報（ｎ＋１）が示すファイルの数との比較である。また、ファイル管理情報ｎとファイル管理情報（ｎ＋１）との比較は、例えば、ファイル管理情報ｎが示す各ファイルのタイムスタンプと、ファイル管理情報（ｎ＋１）が示す各ファイルのタイムスタンプとの比較である。
【０２０５】
具体的には、検知部２０７が、ファイル管理情報（ｎ＋１）がファイル管理情報ｎと異なるか否かを判定する。ファイル管理情報（ｎ＋１）がファイル管理情報ｎと異なる場合、検知部２０７は、ファイル管理情報が変化したと判定する。
【０２０６】
ステップＳ２３０においてＹＥＳならば、処理はステップＳ２４０へ移行する。一方ステップＳ２３０においてＮＯならば、再度、ステップＳ２１０の処理が行われる。
【０２０７】
これにより、ステップＳ２３０でＹＥＳと判定されるまで、ステップＳ２１０，Ｓ２２０の処理は繰り返し行われる。そのため、制御部２０１は、検知部２０７がデータ変化を検知していない期間において、定期的に、更新処理Ａを行う。
【０２０８】
ステップＳ２４０では、検知部２０７が、データ変化を検知する。
【０２０９】
ステップＳ２３０，Ｓ２４０により、検知部２０７は、ｎ番目の更新処理Ａにより作成（更新）されたファイル管理情報ｎと、（ｎ＋１）番目の更新処理Ａにより更新されたファイル管理情報（ｎ＋１）とを比較することにより、データ変化を検知する。
【０２１０】
以上のデータ変化検知処理Ａにより、検知部２０７はデータ変化を検知する。
【０２１１】
上記の変形構成Ｂ（データ変化検知処理Ａ）によれば、データ変化を自動的に検知することができる。そのため、操作端末１００によるサイネージコンテンツの変更、各種設定データの変更等の検出を、人手を解さず、自動的に実施できる。
【符号の説明】
【０２１２】
１００  操作端末、２００  表示装置、２０１  制御部、２０２  メモリ制御部、２０５  再生部、２０７  検知部、２０８  放送受信部、１０００  サイネージシステム。
【図１】
0006355468.tif 000002
【図２】
0006355468.tif 000003
【図３】
0006355468.tif 000004
【図４】
0006355468.tif 000005
【図５】
0006355468.tif 000006
【図６】
0006355468.tif 000007
【図７】
0006355468.tif 000008
【図８】
0006355468.tif 000009
【図９】
0006355468.tif 000010